(57)【要約】【課題】電気錠システムをドアの外枠内で完結した状態で出荷可能とする。現場での施工の手間を大幅に削減する。施工品質の安定化を図る。メンテナンスを容易にする。電気絶縁性においても安全性を確保する。【解決手段】親扉１Ａに取り付けられる電気錠部３を制御する電気錠コントローラ５を、リード線７を介して電源ユニット４に配線する電気錠システムの電源配線構造であって、親扉１Ａと親扉１Ａの外周に配置される外枠２との間に、子扉８Ａ（中間框）を配設する。電源ユニット４を外枠２に取り付けると共に電気錠コントローラ５を子扉８Ａに取り付ける。電気錠コントローラ５と電源ユニット４との間に、電源ユニット４からのリード線７を外枠２の内部を通り、更に子扉８Ａの外周部を迂回して電気錠コントローラ５に配線するためのリード線配線経路９を設ける。【選択図】　　　　図１
2004084266.tif 000002
【特許請求の範囲】
【請求項１】
ドアに取り付けられる電気錠部を制御する電気錠コントローラを、リード線を介して電源ユニットに配線する電気錠システムの電源配線構造であって、ドアとドアの外周に配置される外枠との間に、子扉又は縦枠のいずれかで構成される中間框を配設し、電源ユニットを外枠に取り付けると共に電気錠コントローラを中間框に取り付け、電気錠コントローラと電源ユニットとの間に、電源ユニットからのリード線を外枠の内部を通り、更に中間框の外周部を迂回して電気錠コントローラに配線するためのリード線配線経路を設けたことを特徴とする電気錠システムの電源配線構造。
【請求項２】
中間框が子扉で構成され、子扉のヒンジ側端部が蝶番を介して外枠に取り付けられ、蝶番に外枠から出たリード線を子扉の外周部に通線するための通線孔を穿設したことを特徴とする請求項１記載の電気錠システムの電源配線構造。
【請求項３】
電源ユニットは、その背面部と外枠の内壁との間に所定の隙間をあけた状態で外枠に嵌め込まれ、電源ユニットの背面部には電源線を構成するＶＶＦケーブルの差込口が横方向に向けて開口しており、ＶＶＦケーブルの少なくとも差込口に差し込まれる先端部分の絶縁外皮を剥離して被覆電線の芯線を横方向に向けて差込口に差し込んだ状態で、絶縁外皮の端面部分が結露等によるＶＶＦケーブルの伝い水を遮断する水切り部を兼ねることを特徴とする請求項１記載の電気錠システムの電源配線構造。
【請求項４】
子扉の上面に保護キャップを装着して、子扉の上面と保護キャップとの間にリード線を通すための通線スペースを形成すると共に、保護キャップがリード線の押さえを兼用していることを特徴とする請求項２記載の電気錠システムの電源配線構造。
【発明の詳細な説明】
【０００１】
【発明の属する技術分野】
本発明は、例えば玄関ドアに取り付けられる電気錠コントローラと電源ユニットとをリード線によって接続する電気錠システムの電源配線構造に関するものである。
【０００２】
【従来の技術】
従来、防犯機能の向上や操作性の向上等の目的で、玄関扉の施錠や解錠を電気的に行う電気錠が使用されている。
【０００３】
従来より、例えば玄関ドアに取り付けられる電気錠システムとしては、電池式の電気錠コントローラをドアに組み込むタイプのものがあるが、電池式の場合は、電池切れにより動作停止する可能性がある。
【０００４】
そこで、電気錠コントローラをドアに組み込み、電源ユニットを玄関ドアから離れた場所、例えば台所に設置し、台所から玄関ドアまでリード線を配線しているのが一般的である。
【０００５】
【発明が解決しようとする課題】
ところが、従来は電源ユニットを玄関ドアから離れた場所に設置しているため、現場では電源ユニットから電気錠コントローラまでのリード線の配線作業に手間を要する。特に玄関から離れた場所から玄関ドアまでリード線を引き回すと、リード線が壁などに露出して玄関ドア等の意匠的価値が劣化するだけでなく、施工現場でのリード線の配線に手間がかかり、さらにメンテナンスにも手間がかかるという問題があった。
【０００６】
本発明は、上記の従来例の問題点に鑑みて発明したものであって、その目的とするところは、電気錠システムがドアの外枠内で完結した状態で出荷可能となり、現場での施工の手間を大幅に削減でき、施工性が向上するうえに、施工品質の安定化を図ることができ、さらにメンテナンスが容易となり、そのうえ電気絶縁性においても安全性を確保できる電気錠システムの電源配線構造を提供することにあり、他の目的とするところは、外観意匠性に優れ、また、簡易な構造で電源ユニットの防水性を高めることができる電気錠システムの電源配線構造を提供することにある。
【０００７】
【課題を解決するための手段】
上記課題を解決するために本発明にあっては、ドア１に取り付けられる電気錠部３を制御する電気錠コントローラ５を、リード線７を介して電源ユニット４に配線する電気錠システムの電源配線構造であって、ドア１とドア１の外周に配置される外枠２との間に、子扉８Ａ又は縦枠８Ｂのいずれかで構成される中間框８を配設し、電源ユニット４を外枠２に取り付けると共に電気錠コントローラ５を中間框８に取り付け、電気錠コントローラ５と電源ユニット４との間に、電源ユニット４からのリード線７を外枠２の内部を通り、更に中間框８の外周部を迂回して電気錠コントローラ５に配線するためのリード線配線経路９を設けたことを特徴としており、このように構成することで、予め工場でドア１、外枠２、中間框８に対し、電気錠部３、電源ユニット４、電気錠コントローラ５を各々組み込むと共に、電気錠コントローラ５と電源ユニット４との間のリード線７をリード線配線経路９を介して配線することで、電気錠システムが外枠２内で完結した状態で出荷可能となり、現場での電気錠システムの設置に関する作業は電源線６を電源ユニット４に結線する作業のみで済むようになる。また、メンテナンス時にはリード線７をリード線配線経路９に内蔵したままで電源ユニット４や電気錠コントローラ５を取り外し可能となり、メンテナンスが容易となる。さらに、電源ユニット４で電圧変換された低電圧のリード線７を外枠２内及び中間框８を通して配線することによって、外枠２及び中間框８が金属製の場合でも、低電圧のリード線７が外枠２内及び中間框８を通ることとなり、万一絶縁不良が生じた場合でも安全性を確保できるようになる。
【０００８】
また、上記中間框８が子扉８Ａで構成され、子扉８Ａのヒンジ側端部１０が蝶番１２を介して外枠２に取り付けられ、蝶番１２に外枠２から出たリード線７を子扉５Ａの外周部に通線するための通線孔１３を穿設するのが好ましく、この場合、蝶番１２内部をリード線７が通ることによって、蝶番１２自体がリード線配線経路９の一部を構成することとなり、従って、子扉８Ａの開閉によって子扉８Ａと外枠２間の隙間Ｓにリード線７が挟み込まれて断線したり、隙間Ｓからリード線７が見えるようなことがなくなる。
【０００９】
また、上記電源ユニット４は、その背面部４ａと外枠２の内壁２ｃとの間に所定の隙間Ｓをあけた状態で外枠２に嵌め込まれ、電源ユニット４の背面部４ａには電源線６を構成するＶＶＦケーブル６ａの差込口１４が横方向Ａに向けて開口しており、ＶＶＦケーブル６ａの少なくとも差込口１４に差し込まれる先端部分の絶縁外皮１５を剥離して被覆電線１６の芯線１７を横方向Ａに向けて差込口１４に差し込んだ状態で、絶縁外皮１５の端面１５ａ部分が結露等によるＶＶＦケーブル６ａの伝い水Ｗを遮断する水切り部を兼ねるのが好ましく、この場合、伝い水ＷがＶＶＦケーブル６ａを伝って電源ユニット４の差込口１４に浸入する前に、ＶＶＦケーブル６ａの先端の横方向Ａに向けられた絶縁外皮１５の端面１５ａの段差によって伝い水Ｗを水切りすることができ、簡易な構造で電源ユニット４内部に水が浸入するのを防止できる。
【００１０】
また、上記子扉８Ａの上面に保護キャップ１８を装着して、子扉８Ａの上面と保護キャップ１８との間にリード線７を通すための通線スペース１９を形成すると共に、保護キャップ１８がリード線７の押さえを兼用しているのが好ましく、この場合、保護キャップ１８にて子扉８Ａの上面を保護できると共に、子扉８Ａの上面と保護キャップ１８との間を通線スペース１９とすることでリード線７を配線用凹所からはみ出さないようにして納めることができ、外観良く配線できる。しかも保護キャップ１８によってリード線７を押さえ付けることによって、部品点数を増やすことなく、メンテナンス時などにリード線７が簡易に引き抜かれてしまうのを簡単に防止できるようになる。
【００１１】
【発明の実施の形態】
以下、本発明を添付図面に示す実施形態に基づいて説明する。
【００１２】
本例では玄関ドアに取り付けられる電気錠システムの電源配線構造を例示する。玄関ドアは、図１に示すように、ドア１と、ドア１の外周に配置される外枠２と、外枠２の上方部に横設されるまぐさ３０と、ドア１と外枠２との間に配設される中間框８とで構成される。以下の実施形態では、ドア１として親扉１Ａ、中間框８として子扉８Ａが用いられる親子タイプの玄関ドアを説明する。
【００１３】
電気錠システムは、図１、図３に示すように、電気錠ケース２２と電気錠ストライク２３とからなる上下２つの電気錠部３，３と、開閉操作及び家人認証等を行なうと共に電気錠部３，３を制御する電気錠コントローラ５（制御ユニット）と、電気錠コントローラ５に電源を供給する電源ユニット４（電源供給ユニット）とからなり、各部材３，４，５は各々独立した別ユニットで構成されている。本例では、電源ユニット４が外枠２、電気錠コントローラ５及び電気錠ストライク２３が子扉８Ａ、電気錠ケース２２が親扉１Ａに個別に取り付けられている。
【００１４】
外枠２は、例えばアルミ押出形材などの金属製で形成されているが、木製であってもよい。外枠２は上枠部２４と竪枠部２５と下枠部２６とで構成されている。竪枠部２５は、図２、図４に示すように、主枠材２ａと副枠材２ｂとに分離されており、主枠材２ａと副枠材２ｂとの間には断熱材２７が介在されている。断熱材２７は、例えば硬質発泡合成樹脂のような断面角形の樹脂製断熱材からなり、ネジ２８によって副枠材２ｂと断熱材２７と主枠材２ａが一体に連結固定されている。図２中の６０は化粧額縁、６１はドアストッパー、Ｅは屋内側、Ｆは屋外側である。
【００１５】
上記副枠材２ｂの上方部のまぐさ３０近傍には開口部２９（図８）が設けられ、電源ユニット４は横方向Ａから開口部２９に挿入固定されている。電源ユニット４に電源を供給するためのＡＣ１００Ｖの電源線６（以下、ＶＶＦケーブル６ａを一例として説明する）は、図７（ａ）に示すように、天井裏から外枠２の上方部のまぐさ３０を貫通して外枠２内部に挿入されて、図７（ｂ）に示す電源ユニット４の背面部４ａに設けた差込口１４に差し込まれている。そして電源ユニット４において二次側電源（例えばＤＣ１８Ｖ）に変換され、後述のリード線７を介して電気錠コントローラ５に電源が供給されるようになっている。
【００１６】
ここでは、電源ユニット４の外殻ケース３１は図１３（ａ）に示すような段構造をしており、この段構造によって電源ユニット４が副枠材２ｂに対して位置決めされるようになっている。例えば、図６（ａ）に示すように、電源ユニット４の背面部４ａと金属製の外枠２の内壁２ｃとの間には絶縁距離Ｄ（図４）が約６ｍｍ以上確保されている。この６ｍｍ以上の絶縁距離Ｄによって電気用品安全法の基準をクリアできる。電源ユニット４の背面部４ａには、図６（ｂ）、（ｃ）に示すように、ＶＶＦケーブル６ａの差込口１４が横方向Ａに向けて開口しており、図６（ｃ）に示すように、ＶＶＦケーブル６ａの先端部分の絶縁外皮１５を剥離して被覆電線１６の芯線１７を横方向Ａに向けて差込口１４に差し込むようにしている。ここでは、図６（ｅ）に示すように、横向きとなった絶縁外皮１５の端面１５ａ部分が結露等によるＶＶＦケーブル６ａの伝い水Ｗを遮断する水切り部を兼ねている。なおＶＶＦケーブル６ａの種類は特に限定されず、単芯、２芯或いは３芯以上のものであってもよく、要は絶縁外皮１５を剥離することでその端面１５ａに水切りができるような段差形状が生じるものであればよい。
【００１７】
子扉８Ａは、図４に示すように、そのヒンジ側端部１０が蝶番１２を介して外枠２の主枠材２ａに取り付けられている。子扉８Ａの親扉側端部１１における把手３３近傍には、図５に示すように、開口部３５が設けられ、電気錠コントローラ５が屋内側Ｅから開口部３５に挿入固定されている。なお図５中の５０は戸当たり、５１は電気錠コントローラ５の化粧カバー、５２は子扉８Ａのガラス小窓である。また本例では、電気錠コントローラ５の取り付け、取り外しを容易にするため、電気錠コントローラ５の外殻ケース３６は図１３（ｂ）に示すように、段構造としている。また図１３（ｂ）の例では、リード線７は電気錠コントローラ５の下側において矢印Ｃで示す下方向からコネクタ接続されるようになっており、これにより結露等によるリード線７からの伝い水が電気錠コントローラ５内部に浸入するのを防止している。
【００１８】
次に、リード線配線経路９について説明する。電気錠コントローラ５と電源ユニット４との間には、図１に示すように、電源ユニット４からのリード線７を外枠２の内部を通り、更に蝶番１２内を通り、更に子扉８Ａの外周部を迂回して電気錠コントローラ５に配線するためのリード線配線経路９が設けられている。
【００１９】
先ず、外枠２の副枠材２ｂの側面には、図８に示すように、通線用開口３８が開口し、主枠材２ａの隣り合う２側面には通線用開口３９ａ，３９ｂがそれぞれ開口しており、電源ユニット４からのリード線７は副枠材２ｂの通線用開口３８を出て断熱材２７内を貫通し、更に主枠材２ａの通線用開口３９ａ，３９ｂを通って外枠２の外部に引き出されるようになっている。
【００２０】
子扉８Ａの蝶番１２は、図９に示すように、枢着軸１２ａと一対の蝶片１２ｂ、１２ｃとで構成されており、両蝶片１２ｂ、１２ｃには蝶番取付用孔７１以外に通線孔１３，１３がそれぞれ穿設されている。両蝶片１２ｂ、１２ｃ間には伸縮自在なスプリングガード４０が介設されている。スプリングガード４０は、リード線７の通線スペースとして働き、更に蝶片１２ｂ、１２ｃが開いたときは伸張し、閉じられたときは収縮することで、リード線７が蝶片１２ｂ、１２ｃ間で挟まれたりするのを防止する働きをする。ここでは、一方の蝶片１２ｂの通線孔１３は、外枠２の主枠材２ａの通線用開口３９ｂに連通し且つ他方の蝶片１２ｃの通電孔１３は子扉８Ａの上面側に連通するように、蝶番１２は外枠２と子扉８Ａの上方部に配設されている。これにより、外枠２の通線用開口３９ｂから出たリード線７が一方の蝶片１２ｂの通電孔１３からスプリングガード４０内に入り、さらに他方の蝶片１２ｃの通線孔１３から子扉８Ａの上面側に通線されるようになっている。
【００２１】
また、上記子扉８Ａの上面には、図１０、図１１に示すように、その全長に亘って上方に開放された配線用凹所４１が凹設されており、その上方から配線用凹所４１全体を覆うようにして断面逆Ｕ字状の保護キャップ１８がネジ７０等で固定され、配線用凹所４１と保護キャップ１８との間が横方向Ａに延びた通線スペース１９となっている。保護キャップ１８の両端部は子扉８Ａのキャップ受け部４２にそれぞれ係合していると共に、保護キャップ１８の下面中央に突設させたリブ４３が配線用凹所４１の底面に当接しており、リブ４３の側方に沿って配線されるリード線７を保護キャップ１８の下面で押さえ付けるようにしている。なお、図１２（ａ）に示すように、保護キャップ１８の凸部４５全体でリード線７を押さえ付けるようにしてもよい。いずれの場合も、保護キャップ１８でリード線７を押さえることで、メンテナンス時などにおいてリード線７が簡易に引き出されるのを防止できる構造となっている。また図１１の例ではリード線７は子扉８Ａのヒンジ側端部１０に沿わせて通線スペース１９に入れるようにしているが、他の例として図１２（ｂ）に示すように、子扉８Ａのコーナー部に配線孔４４を穿設し、配線孔４４の一端をヒンジ側端部１０に開放し、他端を通線スペース１９に開放し、リード線７を配線孔４４を通して通線スペース１９に通線するようにしてもよい。この場合、配線孔４４を蝶番１２に極力近い位置に設けることで、蝶番１２から出たリード線７を直ぐに配線孔４４から通線スペース１９に通線でき、リード線７の折り曲げ等を極力防止できるようになる。
【００２２】
さらに、子扉８Ａの親扉側端部１１には、図１０に示すように、上下方向に延びた親扉側配線溝４６が凹設されている。この親扉側配線溝４６の上端は通線スペース１９に連通し、親扉側配線溝４６の下端は、子扉８Ａの把手３３付近に取り付けた電気錠コントローラ５及び電気錠ストライク２３付近まで達している。
【００２３】
すなわち、電源ユニット４からのリード線７は、外枠２の副枠材２ｂの側面の通線用開口を通り、断熱材２７を貫通して主枠材２ａの通線用開口を通って、子扉８Ａのヒンジ側端部１０がわに引き出される。更に、子扉８Ａの蝶番１２の通線孔１３を通り、その後、子扉８Ａの上面に設けられた通線スペース１９内を通り、更に下方に屈曲して子扉８Ａの親扉側配線溝４６内を通り、最後に把手３３近傍に取り付けられた電気錠コントローラ５に通線されるようになっている。なお電気錠コントローラ５と電気錠ストライク２３との間は別のリード線７ａ及びコネクタ２１ａ（図３）にて接続される。これらの配線作業はすべて工場で行なわれる。なお、上記リード線７の両端部にはコネクタ２０がそれぞれ設けられており、電源ユニット４とリード線７との接続、電気錠コントローラ５とリード線７との接続が、それぞれコネクタ接続方式とされている。なおリード線７は１本に限らず、複数本のリード線７を中間コネクタ２１によって１本に接続したものであってもよい。この場合、中間コネクタ２１は子扉８Ａの通線スペース１９などに収納可能である。
【００２４】
しかして、玄関ドアの出荷段階においては、親扉１Ａ、外枠２、子扉８Ａに対して、電気錠部３、電源ユニット４、電気錠コントローラ５が各々組み込まれていると共に、電気錠コントローラ５と電源ユニット４との間のリード線７がリード線配線経路９を介して配線されているので、電気錠システムが外枠２内（本例では、親扉１Ａと子扉８Ａと外枠２とからなるドアユニット内）で完結した状態となる。図１４（ａ）はその出荷状態を示している。
【００２５】
また、玄関ドアを施工現場で取り付ける場合には、電気錠システムの設置に関する作業は電源線６を電源ユニット４に結線する作業のみを行なう。つまり、ＡＣ１００ＶのＶＶＦケーブル６ａをまぐさ３０を貫通し、更に副枠材２ｂ内の通線範囲Ｍ（図４）に挿入して電源ユニット４の差込口１４に差し込み接続することによって、電源ユニット４はＶＶＦケーブル６ａを介して操作盤等に電気的に接続される。なお、リード線７の配線は工場ですべて行なわれるため、現場でのリード線７の配線作業ミスを防止できる。従って、現場での施工の手間を大幅に削減でき、施工性が向上するうえに、施工品質の安定化を図ることができる。
【００２６】
ここで、ＡＣ１００Ｖ→ＤＣ１８Ｖの変換を行なうための電源ユニット４をまぐさ３０に極力近い外枠２の上方部に取り付けているので、まぐさ３０から電源ユニット４までの配線距離を短くでき、しかもＶＶＦケーブル６ａを外枠２内部に収納しているので安全性を確保できる。しかも電源ユニット４からのリード線７（ＤＣ１８Ｖ）を金属製の外枠２や子扉８Ａ内部に配線しているが、低電圧であるために、万一絶縁不良が生じた場合でも安全性を確保できる。
【００２７】
また、電源ユニット４の差込口１４を横方向Ａに向け、ＶＶＦケーブル６ａの先端を横差し方式とし、且つＶＶＦケーブル６ａの先端部分の絶縁外皮１５を剥離して被覆電線１６の芯線１７を横方向Ａに向けて差込口１４に差し込むようにしているので、図６（ｅ）の矢印イ→イ’で示すように、絶縁外皮１５の端面１５ａ部分によって結露等によるＶＶＦケーブル６ａの伝い水Ｗを遮断することができ、この結果、簡易な構造で、伝い水Ｗが差込口１４から電源ユニット４の充電部内部に浸入するのを防止でき、電源ユニット４の防水性が高まり、品質の長期安定化を図ることができる。
【００２８】
また、電源ユニット４からのリード線７を、子扉８Ａの蝶番１２内部に通すことによって、蝶番１２がリード線配線経路９の一部を構成するようになり、しかも蝶番１２内部をリード線７が通ることによって、子扉８Ａの開閉時に子扉８Ａのヒンジ側端部１０と外枠２との隙間Ｓ（図４）が多少大きくなっても、隙間Ｓにリード線７が露出することがなく、玄関ドアの意匠的価値が高められる。また子扉８Ａの開閉によって上記隙間Ｓにリード線７が挟み込まれて断線して施錠不能となる心配もなくなる。
【００２９】
さらに、子扉８Ａの上面に設けた配線用凹所４１に保護キャップ１８を上から被せて通線スペース１９を形成し、この通線スペース１９内部にリード線７を通すようにしたので、リード線７を配線用凹所４１からはみ出さないようにして納めることができ、しかも通線スペース１９を利用してリード線７と中間コネクタ２１とを接続できるなど、外観良く配線できるものとなる。また保護キャップ１８によってリード線７を押さえ付けることが可能となり、リード線７の配線作業が容易となって組付作業性が向上すると共に、リード線７の交換も保護キャップ１８を外すことで簡単に行うことができる。また電気錠の保守点検作業時には、リード線７を引っ張って容易に引き抜かれてしまうのを保護キャップ１８にて防止できるので、部品点数を増やすことなく、メンテナンスを容易にできる。
【００３０】
また本例では、上記リード線７の両端部にコネクタ２０をそれぞれ設け、電気錠コントローラ５とリード線７との接続、電源ユニット４とリード線７との接続を、それぞれコネクタ２０にて接続しているので、電気錠コントローラ５もしくは電源ユニット４が万一故障したときには、リード線７をリード線配線経路９内部に内蔵した状態のままで、コネクタ２０を外して所望のユニット（電気錠コントローラ５又は電源ユニット４）を簡単に取り外すことができ、メンテナンス等にかかる手間を一層省くことができ、作業性が向上する。
【００３１】
また本例では、内部に配線用の空間を有さない金属製（或いは木製）の子扉８Ａであっても、上面に配線用凹所４１、親扉側端部１１に親扉側配線溝４６を形成するだけでよいので、電気錠コントローラ５を容易に取り付けることができる。そのうえ電気錠コントローラ５及び電気錠ストライク２３を子扉８Ａに取り付け、電気錠ケース２２を親扉１Ａに取り付けるようにしているので、親扉１Ａは機械錠タイプのものと電気錠タイプのどちらにも対応できるようになり、親扉１Ａの共通化を図ることができるという利点もある。
【００３２】
前記実施形態では親子タイプの玄関ドアを例示したが、図１５に示すように、シングルタイプの玄関ドアにも同様に適用可能である。つまり、子扉８Ａに代えて、ドア１と外枠２との間に開閉できないように固定される縦枠８Ｂに電気錠コントローラ５を取り付けた電気錠用縦枠を用いる。この場合、縦枠８Ｂの上面に横方向Ａに延びた通線スペース１９（図１０）を形成し、ドア１側の端部に上下方向に延びた配線溝４６（図１０）を形成することで、上記子扉８Ａの場合と同様な配線構造を実現できる。
【００３３】
本発明の電気錠システムの電源配線構造は、玄関ドアに限らず、例えば非常口用のドアなど、広い範囲で適用可能である。またドアは金属製に限らず、木質製であってもよい。
【００３４】
【発明の効果】
上述のように請求項１記載の発明にあっては、ドアに取り付けられる電気錠部を制御する電気錠コントローラを、リード線を介して電源ユニットに配線する電気錠システムの電源配線構造であって、ドアとドアの外周に配置される外枠との間に、子扉又は縦枠のいずれかで構成される中間框を配設し、電源ユニットを外枠に取り付けると共に電気錠コントローラを中間框に取り付け、電気錠コントローラと電源ユニットとの間に、電源ユニットからのリード線を外枠の内部を通り、更に中間框の外周部を迂回して電気錠コントローラに配線するためのリード線配線経路を設けたので、予め工場でドア、外枠、中間框に対し、電気錠部、電源ユニット、電気錠コントローラを各々組み込むと共に、電気錠コントローラと電源ユニットとの間のリード線をリード線配線経路を介して配線することで、電気錠システムが外枠内で完結した状態で出荷可能となる。従って、現場での電気錠システムの設置に関する作業は電源線を電源ユニットに結線する作業のみで済み、現場での施工の手間を大幅に削減でき、施工性が向上するうえに、施工品質の安定化を図ることができる。また、メンテナンス時にはリード線をリード線配線経路に内蔵したままで電源ユニットや電気錠コントローラを取り外し可能となり、メンテナンスが容易となり、作業性が向上する。さらに、電源ユニットで電圧変換された低電圧のリード線を外枠内及び中間框を通して配線することで、外枠及び中間框が金属製の場合でも、低電圧のリード線が外枠内及び中間框を通ることとなり、万一絶縁不良が生じた場合でも安全性が確保されるものである。
【００３５】
また請求項２記載の発明は、請求項１記載の効果に加えて、中間框が子扉で構成され、子扉のヒンジ側端部が蝶番を介して外枠に取り付けられ、蝶番に外枠から出たリード線を子扉の外周部に通線するための通線孔を穿設したので、蝶番内部をリード線が通ることによって、蝶番自体がリード線配線経路の一部を構成するようになる。従って、子扉の開閉によって外枠と子扉のヒンジ側端部との間の隙間にリード線が挟み込まれて断線したりする心配がなく、そのうえ子扉の開閉時に上記隙間からリード線が見えるようなことがなく、意匠性が損なわることがないものである。
【００３６】
また請求項３記載の発明は、請求項１記載の効果に加えて、電源ユニットは、その背面部と外枠の内壁との間に所定の隙間をあけた状態で外枠に嵌め込まれ、電源ユニットの背面部には電源線を構成するＶＶＦケーブルの差込口が横方向に向けて開口しており、ＶＶＦケーブルの少なくとも差込口に差し込まれる先端部分の絶縁外皮を剥離して被覆電線の芯線を横方向に向けて差込口に差し込んだ状態で、絶縁外皮の端面部分が結露等によるＶＶＦケーブルの伝い水を遮断する水切り部を兼ねるので、伝い水がＶＶＦケーブルを伝って電源ユニットの差込口に浸入する前に、ＶＶＦケーブルの先端の横方向に向けられた絶縁外皮の端面の段差によって伝い水を水切りすることができ、従って、電源ユニットの充電部内部に浸入することがなく、電源ユニットの品質の長期安定化を図ることができる。
【００３７】
また請求項４記載の発明は、請求項２記載の効果に加えて、子扉の上面に保護キャップを装着して、子扉の上面と保護キャップとの間にリード線を通すための通線スペースを形成すると共に、保護キャップがリード線の押さえを兼用しているので、保護キャップにて子扉の上面を保護できると共に、子扉の上面と保護キャップとの間を通線スペースとすることで、リード線を配線用凹所からはみ出さないようにして納めることができ、外観良く配線できる。しかも保護キャップによってリード線を押さえ付けることによって、部品点数を増やすことなく、メンテナンス時などにリード線が簡易に引き抜かれてしまうのを簡単に防止することができる。
【図面の簡単な説明】
【図１】本発明の実施形態の一例を示し、（ａ）は玄関ドアの内側からみた電気錠のリード線配線経路の正面図、（ｂ）は屋外側から見た正面図である。
【図２】同上の親扉と子扉の平面断面図である。
【図３】同上の電気錠システムの概略構成図である。
【図４】同上の外枠に電源ユニットを取り付けた状態を説明する平面断面図である。
【図５】同上の子扉に電気錠コントローラを取り付けた状態を説明する平面断面図である。
【図６】（ａ）は同上の電源ユニットにＶＶＦケーブルを配線する場合の平面断面図、（ｂ）は側面断面図、（ｃ）はＶＶＦケーブルを電源ユニットに接続する状態の拡大図、（ｄ）は電源ユニットの背面部の差込口を説明する斜視図、（ｅ）は伝い水をＶＶＦケーブルの先端で水切りする場合の説明図である。
【図７】（ａ）は同上の天井裏からのＶＶＦケーブルをまぐさを貫通して電源ユニットに配線する場合の説明図、（ｂ）は（ａ）のハ部におけるＶＶＦケーブルと電源ユニットの結線状態の説明図である。
【図８】同上の電源ユニットを外枠に取り付ける場合の斜視図である。
【図９】同上の通線孔付き蝶番の斜視図である。
【図１０】同上のリード線配線経路を説明する正面図である。
【図１１】同上の通線スペースを説明する斜視図である。
【図１２】（ａ）は他例の断面図、（ｂ）は更に他例の斜視図である。
【図１３】（ａ）は電源ユニットの斜視図、（ｂ）は電気錠コントローラの斜視図である。
【図１４】（ａ）（ｂ）は同上の親子タイプの玄関ドアの出荷状態の説明図である。
【図１５】（ａ）（ｂ）は同上のシングルタイプの玄関ドアの出荷状態の説明図である。
【符号の説明】
１　ドア
１Ａ　親扉
２　外枠
２ａ　主枠材
２ｂ　副枠材
２ｃ　内壁
３　電気錠部
４　電源ユニット
４ａ　背面部
５　電気錠コントローラ
６　電源線
６ａ　ＶＶＦケーブル
７　リード線
８　中間框
８Ａ　子扉
８Ｂ　縦枠
９　リード線配線経路
１０　ヒンジ側端部
１１　親扉側端部
１２　蝶番
１３　通線孔
１４　差込口
１５　絶縁外皮
１５ａ　端面
１６　被覆電線
１７　芯線
１８　保護キャップ
１９　通線スペース
Ａ　横方向
Ｓ　隙間
Ｗ　伝い水
【図１】
2004084266.tif 000003
【図２】
2004084266.tif 000004
【図３】
2004084266.tif 000005
【図４】
2004084266.tif 000006
【図５】
2004084266.tif 000007
【図６】
2004084266.tif 000008
【図７】
2004084266.tif 000009
【図８】
2004084266.tif 000010
【図９】
2004084266.tif 000011
【図１０】
2004084266.tif 000012
【図１１】
2004084266.tif 000013
【図１２】
2004084266.tif 000014
【図１３】
2004084266.tif 000015
【図１４】
2004084266.tif 000016
【図１５】
2004084266.tif 000017